(57)【特許請求の範囲】
【請求項１】
ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持された回動軸（12,22）の周りで回動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の回動を、前記連結ロッド（5）の動きを介して前記ラッチボルト（3）の後退動作に変換する変換部と、を有し、
前記ドア（1）が前記第１及び第２のドア面（1a,1b）のうち一方の側にのみ開くことが可能であり、かつ、
一方の前記操作板（23）における前記ドア（1）が開く方に向いた面から当該面に対し略垂直に延在する補助操作板（24）をさらに有することを特徴とするドア操作装置。
【請求項２】
ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持された回動軸（12,22）の周りで回動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の回動を、前記連結ロッド（5）の動きを介して前記ラッチボルト（3）の後退動作に変換する変換部と、を有し、
前記ドア（1）が前記第１及び第２のドア面（1a,1b）のいずれの側にも開くことが可能であり、かつ、
前記第１及び第２の操作板（13,23）の各々の面から各前記操作板（23）に対し略垂直にそれぞれ延在する補助操作板（14,24）をさらに有することを特徴とするドア操作装置。
【請求項３】
前記回動軸（12,22）が、鉛直方向又は水平方向に延在することを特徴とする請求項１又は２に記載のドア操作装置。
【請求項４】
ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持されて前記ドア面（1a,1b）に対し垂直に直線移動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の直線移動を、前記連結ロッド（5）の動きを介して前記ラッチボルト（3）の後退動作に変換する変換部と、を有し、
前記ドア（1）が前記第１及び第２のドア面（1a,1b）のうち一方の側にのみ開くことが可能であり、かつ、
一方の前記操作板（23）における前記ドア（1）が開く方に向いた面から当該面に対し垂直な方向に延在する支持部材（26）と、前記支持部材（26）の先端に取り付けられた補助操作板（24）と、をさらに有することを特徴とするドア操作装置。
【請求項５】
ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持されて前記ドア面（1a,1b）に対し垂直に直線移動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の直線移動を、前記連結ロッド（5）の動きを介して前記ラッチボルト（3）の後退動作に変換する変換部と、を有し、
前記ドア（1）が前記第１及び第２のドア面（1a,1b）のいずれの側にも開くことが可能であり、かつ、
前記第１及び第２の操作板（13,23）の各々の面から当該面に対し垂直な方向にそれぞれ延在する支持部材（16,26）と、前記支持部材（16,26）の先端にそれぞれ取り付けられた補助操作板（14,24）と、をさらに有することを特徴とするドア操作装置。
【請求項６】
弾性的に付勢されて戸先側から突出するラッチボルト（3）と、前記ラッチボルト（3）を弾性力に抗して後退させるために操作される取っ手（50,60）とを備えたドア（1）を開くために、前記取っ手（50,60）を動かすように構成されたドア操作装置（10）であって、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持された回動軸（12,22）の周りで前記回動軸（12,22）と共に回動可能、又は、前記第１及び第２の支持フレーム（11,21）により支持されて前記ドア面（1a,1b）に対し垂直に直線移動可能であるように、それぞれ配置された第１及び第２の操作板（13,23）と、
前記第１及び第２の操作板（13,23）の回動又は直線移動を、前記ラッチボルト（3）を解除するための前記取っ手（50）の動きに変換する変換部（17,27）と、を有することを特徴とするドア操作装置。
【請求項７】
前記ドア（1）が前記第１及び第２のドア面（1a,1b）のうち一方の側にのみ開くことが可能でありかつ前記第１及び第２の操作板（13,23）が回動可能であることを特徴とする請求項６に記載のドア操作装置。
【請求項８】
前記ドア（1）が前記第１及び第２のドア面（1a,1b）のいずれの側にも開くことが可能でありかつ前記第１及び第２の操作板（13,23）が回動可能であることを特徴とする請求項６に記載のドア操作装置。
【請求項９】
前記回動軸（12,22）が、鉛直方向又は水平方向に延在することを特徴とする請求項７又は８に記載のドア操作装置。
【請求項１０】
前記ドア（1）が前記第１及び第２のドア面（1a,1b）のうち一方の側にのみ開くことが可能でありかつ前記第１及び第２の操作板（13,23）が直線移動可能であり、かつ、
一方の前記操作板（23）における前記ドア（1）が開く方に向いた面から当該面に対し垂直な方向に延在する支持部材（26）と、前記支持部材（26）の先端に取り付けられた補助操作板（24）と、をさらに有することを特徴とする請求項６に記載のドア操作装置。
【請求項１１】
前記ドア（1）が前記第１及び第２のドア面（1a,1b）のいずれの側にも開くことが可能でありかつ前記第１及び第２の操作板（13,23）が直線移動可能であることを特徴とする請求項６に記載のドア操作装置。
【請求項１２】
前記ドア（1）が前記第１及び第２のドア面（1a,1b）のいずれの側にも開くことが可能でありかつ前記第１及び第２の操作板（13,23）が直線移動可能であり、かつ、
前記第１及び第２の操作板（13,23）の各々の面から当該面に対し垂直な方向にそれぞれ延在する支持部材（16,26）と、前記支持部材（16,26）の先端にそれぞれ取り付けられた補助操作板（14,24）と、をさらに有することを特徴とする請求項６に記載のドア操作装置。
【請求項１３】
請求項１〜１２のいずれかに記載のドア操作装置をドア本体に取り付けたドア。
【発明の詳細な説明】
【技術分野】
【０００１】
本発明は、ドアを開くときにラッチボルトを解除するためのドア操作装置に関する。
【背景技術】
【０００２】
回転して開くドアの戸先側に設けられたラッチボルトは、突出する方向にバネにより付勢されている（特許文献１、２等）。ドアの閉位置では、ラッチボルトが突出してドア枠のラッチ受けと係合することによってドアが閉位置に固定される。閉位置にあるドアを開くときは、レバーハンドルやプッシュプルハンドルなどの取っ手を操作してラッチボルトをバネに抗して一時的に後退させることによって、ドアを開くことができる。開位置にあるドアを閉じるときは、ラッチボルトの形状に起因してラッチボルトが独りでにバネに抗して後退するので、取っ手を操作する必要はない。
【０００３】
ドアの取っ手は、ウィルスや細菌などの病原体の伝染経路となり得る。ドアの取っ手又はそれに触れた手を頻繁に消毒することは煩雑であり、感染防止のためにドアの取っ手に手指が触れないことが好ましい。
【０００４】
特許文献１〜３は、手指を使わずに、手首よりも上方の部分を用いてドアを開閉するために、特別な形状の取っ手又は既存の取っ手に取り付けるアタッチメントを提示している。
【先行技術文献】
【特許文献】
【０００５】
【特許文献１】特表２００８−５０６８７２号公報
【特許文献２】実公平３−３９５７５号公報
【特許文献３】特開昭５３−７０５３４号公報
【特許文献４】特開２００４−２３８９７２号公報
【特許文献５】特開２００４−２１８２２０号公報
【発明の概要】
【発明が解決しようとする課題】
【０００６】
ドアを開く際に手指を使わずにラッチボルトを解除するための従来のドアの取っ手又は取っ手のアタッチメントは特別な形状、例えば使用者の肘や足などのいずれかの身体部位に特化した形状を有しており、その操作方法や操作高さが比較的限定されていた。また、多様な身長をもつ多数の使用者の誰にとっても使い易いものではなかった。
【０００７】
以上の現状に鑑み、本発明は、ドアを開く際にラッチボルトを解除するためのドア操作装置であって、操作に用いる身体部位や操作位置に関する自由度が大きいドア操作装置及びその装置を取り付けたドアを提供することを目的とする。
【課題を解決するための手段】
【０００８】
上述した課題を解決するために、本発明は以下の構成を有する。なお、括弧内の数字は、後述する図面中の符号であり、参考のために付するものである。
【０００９】
本発明の第１の態様は、ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持された回動軸（12,22）の周りで回動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の回動を、前記連結ロッド（5）の動きを介して前記ラッチボルト（3）の後退動作に変換する変換部と、を有し、
前記ドア（1）が前記第１及び第２のドア面（1a,1b）のうち一方の側にのみ開くことが可能であり、かつ、
一方の前記操作板（23）における前記ドア（1）が開く方に向いた面から当該面に対し略垂直に延在する補助操作板（24）をさらに有することを特徴とする。
本発明の第１の態様の変形において、ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持された回動軸（12,22）の周りで回動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の回動を、前記連結ロッド（5）の動きを介して前記ラッチボルト（3）の後退動作に変換する変換部と、を有し、
前記ドア（1）が前記第１及び第２のドア面（1a,1b）のいずれの側にも開くことが可能であり、かつ、前記第１及び第２の操作板（13,23）の各々の面から各前記操作板（23）に対し略垂直にそれぞれ延在する補助操作板（14,24）をさらに有することを特徴とする。
上記第１の態様において、前記回動軸（12,22）が、鉛直方向又は水平方向に延在することが、好適である。
本発明の第１の態様の別の変形において、ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持されて前記ドア面（1a,1b）に対し垂直に直線移動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の直線移動を、前記連結ロッド（5）の動きを介して前記ラッチボルト（3）の後退動作に変換する変換部と、を有し、
前記ドア（1）が前記第１及び第２のドア面（1a,1b）のうち一方の側にのみ開くことが可能であり、かつ、一方の前記操作板（23）における前記ドア（1）が開く方に向いた面から当該面に対し垂直な方向に延在する支持部材（26）と、前記支持部材（26）の先端に取り付けられた補助操作板（24）と、をさらに有することを特徴とする。
本発明の第１の態様の別の変形において、ドア（1）の戸先側に埋設されたケース（4）と、前記ケース（4）から突出するように弾性的に付勢されたラッチボルト（3）とを有し、前記ドア（1）を開くために前記ラッチボルト（3）を弾性力に抗して後退させるように構成されたドア操作装置（10）であって、
前記第１及び第２のドア面（1a,1b）に対し垂直に前記ドア（1）を貫通するドア貫通孔（1c,1d）と、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持されて前記ドア面（1a,1b）に対し垂直に直線移動可能であるように、それぞれ配置された第１及び第２の操作板（13,23）と、
前記ドア貫通孔（1c,1d）を通って前記第１の操作板（13）と前記第２の操作板（23）とを連結する連結ロッド（5）と、
前記第１及び第２の操作板（13,23）の直線移動を、前記連結ロッド（5）の動きを介して前記ラッチボルト（3）の後退動作に変換する変換部と、を有し、
前記ドア（1）が前記第１及び第２のドア面（1a,1b）のいずれの側にも開くことが可能であり、かつ、前記第１及び第２の操作板（13,23）の各々の面から当該面に対し垂直な方向にそれぞれ延在する支持部材（16,26）と、前記支持部材（16,26）の先端にそれぞれ取り付けられた補助操作板（14,24）と、をさらに有することを特徴とする。
【００１０】
本発明の第２の態様は、弾性的に付勢されて戸先側から突出するラッチボルト（3）と、前記ラッチボルト（3）を弾性力に抗して後退させるために操作される取っ手（50,60）とを備えたドア（1）を開くために、前記取っ手（50,60）を動かすように構成されたドア操作装置（10）であって、
前記ドア（1）の互いに反対向きの第１及び第２のドア面（1a,1b）にそれぞれ取り付けられた第１及び第２の支持フレーム（11,21）と、
使用者による操作によって、前記第１及び第２の支持フレーム（11,21）により支持された回動軸（12,22）の周りで前記回動軸（12,22）と共に回動可能、又は、前記第１及び第２の支持フレーム（11,21）により支持されて前記ドア面（1a,1b）に対し垂直に直線移動可能であるように、それぞれ配置された第１及び第２の操作板（13,23）と、
前記第１及び第２の操作板（13,23）の回動又は直線移動を、前記ラッチボルト（3）を解除するための前記取っ手（50）の動きに変換する変換部（17,27）と、を有することを特徴とする。
上記第２の態様において、前記ドア（1）が前記第１及び第２のドア面（1a,1b）のうち一方の側にのみ開くことが可能でありかつ前記第１及び第２の操作板（13,23）が回動可能であることが、好適である。
上記第２の態様において、前記ドア（1）が前記第１及び第２のドア面（1a,1b）のいずれの側にも開くことが可能でありかつ前記第１及び第２の操作板（13,23）が回動可能であることが、好適である。
上記第２の態様において、前記回動軸（12,22）が、鉛直方向又は水平方向に延在することが、好適である。
上記第２の態様において、前記ドア（1）が前記第１及び第２のドア面（1a,1b）のうち一方の側にのみ開くことが可能でありかつ前記第１及び第２の操作板（13,23）が直線移動可能であり、かつ、一方の前記操作板（23）における前記ドア（1）が開く方に向いた面から当該面に対し垂直な方向に延在する支持部材（26）と、前記支持部材（26）の先端に取り付けられた補助操作板（24）と、をさらに有することが、好適である。
上記第２の態様において、前記ドア（1）が前記第１及び第２のドア面（1a,1b）のいずれの側にも開くことが可能でありかつ前記第１及び第２の操作板（13,23）が直線移動可能であることが、好適である。
上記第２の態様において、前記ドア（1）が前記第１及び第２のドア面（1a,1b）のいずれの側にも開くことが可能でありかつ前記第１及び第２の操作板（13,23）が直線移動可能であり、かつ、前記第１及び第２の操作板（13,23）の各々の面から当該面に対し垂直な方向にそれぞれ延在する支持部材（16,26）と、前記支持部材（16,26）の先端にそれぞれ取り付けられた補助操作板（14,24）と、をさらに有することが、好適である。
【００１１】
本発明の第３の態様は、上記いずれかの態様のドア操作装置をドア板に取り付けたドアである。
【発明の効果】
【００１２】
本発明によれば、ドアを開く際にラッチボルトを解除するためのドア操作装置であって、操作に用いる身体部位や操作位置に関する自由度が大きいドア操作装置及びその装置を取り付けたドアが実現される。この結果、使用者は、手指以外の身体部位、例えば肘、腕、肩、腰、脚、足などを用いて操作板を操作することが可能である。したがって、多様な身長をもつ多数の使用者の誰にとっても、手指を用いずにドアを開く操作が容易となる。この結果、本発明のドア操作装置は、手指を介した感染の防止に大きく寄与することができる。
【図面の簡単な説明】
【００１３】
【図１】図１（ａ）は、第１の実施形態のドア操作装置を取り付けたドアを一方のドア面から視た概略斜視図であり、（ｂ）は、反対側のドア面から視た概略斜視図である。
【図２】図２（ａ）（ｂ）は、図１（ａ）（ｂ）にそれぞれ対応する概略斜視図であるが、ドア操作装置１０を操作してラッチボルトを解除した状態を示している。
【図３】図３（ａ）は、図１（ｂ）のＩ−Ｉ断面の一例を概略的に示し、（ｂ）は（ａ）のII−II断面を概略的に示している。
【図４】図４（ａ）は、図１（ｂ）のII−II断面の一例を概略的に示し、（ｂ）は（ａ）のIII−III断面を概略的に示している。
【図５】図５（ａ）（ｂ）は、ラッチボルトが解除位置であるときの図４（ａ）（ｂ）にそれぞれ対応する図である。
【図６】図６（ａ）は、図１（ｂ）のII−II断面の別の例を概略的に示し、（ｂ）は（ａ）のIV−IV断面を概略的に示している。
【図７】図７（ａ）（ｂ）は、ラッチボルトが解除位置であるときの図６（ａ）（ｂ）にそれぞれ対応する図である。
【図８】図８（ａ）は、第２の実施形態における図１（ｂ）のII−II断面に相当する断面を概略的に示し、（ｂ）は（ａ）のＶ−Ｖ断面を概略的に示している。
【図９】図９（ａ）は、第３の実施形態のラッチ状態の断面図であり、第１の実施形態の図４（ａ）に相当する。（ｂ）は、ラッチ解除状態の断面図である。
【図１０】図１０は、本発明のドア操作装置１０の第４の実施形態を示す。
【図１１】図１１（ａ）は、第５の実施形態のラッチ状態の断面図であり、第１の実施形態の図４（ａ）に相当する。（ｂ）は、ラッチ解除状態の断面図である。
【図１２】図１２（ａ）は、第６の実施形態のラッチ状態の断面図である。（ｂ）は、ラッチ解除状態の断面図である。
【図１３】図１３（ａ）は、第７の実施形態のドア操作装置を取り付けたドアを一方のドア面から視た概略斜視図であり、（ｂ）は、反対側のドア面から視た概略斜視図である。
【図１４】図１４（ａ）（ｂ）は、図１３（ａ）（ｂ）にそれぞれ対応する概略斜視図であるが、ドア操作装置を操作してラッチボルトを解除した状態を示している。
【図１５】図１５は、図１４（ｂ）のVI−VI断面の一例を概略的に示している。
【図１６】図１６（ａ）は、第７の実施形態のラッチ解除状態における図１５に対応する図であり、（ｂ）は、（ａ）のVII−VII断面の一部を示した図である。
【図１７】図１７（ａ）は、ドア操作装置の第８の実施形態のラッチ状態の断面図であり、第７の実施形態の図１５に相当する。（ｂ）は、ラッチ解除状態の断面図である。
【図１８】図１８（ａ）は、ドア操作装置の第９の実施形態ラッチ状態の断面図であり、第７の実施形態の図１５に相当する。（ｂ）は、ラッチ解除状態の断面図である。
【図１９】図１９は、ドア操作装置の第１０の実施形態のラッチ状態の断面図であり、第７の実施形態の図１５に相当する。
【図２０】図２０は、第１０の実施形態のラッチ解除状態の断面図である。
【図２１】図２１は、ドア操作装置の第１１の実施形態のラッチ状態の断面図である。
【図２２】図２２は、ドア操作装置の第１２の実施形態のラッチ状態の断面図である。
【図２３】図２３（ａ）〜（ｃ）は、本発明の第１３の実施形態を説明するための図である。
【発明を実施するための形態】
【００１４】
以下、実施例を示した図面を参照して本発明の各実施形態を説明する。図面において、各実施形態における同じ又は類似する構成要素には、基本的に同じ符号を付している。また、別の実施形態において既に説明した同じ又は類似する構成要素については、説明を省略する場合がある。
【００１５】
本発明を適用されるドアは、１枚の板状のドア本体を有し、一端部の鉛直回転軸の周りで回動して開閉する片開きドアである。ドア本体の幅方向に関して、回転軸の方を「戸尻側」と称し、回転軸とは反対側の方を「戸先側」と称することとする。
【００１６】
（１）第１の実施形態
図１〜図７を参照して、本発明のドア操作装置１０の第１の実施形態を説明する。図１（ａ）は、第１の実施形態のドア操作装置１０を取り付けたドア１を一方のドア面１ａから視た概略斜視図であり、（ｂ）は、反対側のドア面１ｂから視た概略斜視図である。第１の実施形態のドア１は、両方のドア面１ａ、１ｂのうち一方の側にのみ、ここではドア面１ｂ側にのみ開くことが可能なドアである。例えば、ドア面１ａが廊下側に、ドア面１ｂが室内側に面している。図１は、ドア１が閉位置にある状態を示している。
【００１７】
ドア操作装置１０は、ドア１のドア本体に取り付けられる。本実施形態のドア操作装置１０は、ドア本体内に組み込まれた構成要素と、互いに反対向きの第１及び第２のドア面１ａ、１ｂにそれぞれ取り付けられた構成要素とを含む。ドア本体内に組み込まれた構成要素の１つとして、ドア１の戸先側に埋設された略直方体のケース４を有する。このケース４は、一般的なドアにおいてラッチボルト及びデッドボルトを収容したキーケースと同様のものである。
【００１８】
図１の例では、ケース４にラッチボルト３のみが設けられており、デッドボルトは設けられていない。本発明では、デッドボルトは必須ではなく任意の要素である。ラッチボルト３は、ケース４の戸先側の側面から突出するように弾性的に付勢されている。ドア１の閉位置においては、ラッチボルト３がケース４から突出し、対向するラッチ受け穴（図示せず）に入り込んでいる。この状態のとき、ドア１は、ドア面１ｂの方へ開く動作を阻止される。
【００１９】
ドア１は、ドア面に対し垂直に貫通する１つのドア貫通孔を有する。ここでは、第１のドア面１ａを構成する部材を貫通する孔を「ドア貫通孔１ｃ」と称し、第２のドア面１ｂを構成する部材を貫通する孔を「ドア貫通孔１ｄ」と称している。ドア貫通孔１ｃとドア貫通孔１ｄとは、ドア面に垂直な方向から視て完全に重なっている。
【００２０】
本実施形態によるドア操作装置１０は、既存のドアに装備されている取っ手及びキーケースを取り外し、それらの取付孔を利用して設置することが、好ましい。その場合、好ましくは、キーケースの取付孔にケース４を嵌め込む。また、既存の取っ手の取付孔を、そのままドア貫通孔１ｃ、１ｄとして利用する。しかしながら、ドア操作装置１０は、新設ドアに適用することもできる。
【００２１】
第１の実施形態では、ドア面に垂直な方向から視て、ドア貫通孔１ｃ、１ｄの位置にケース４が重なっているため、ケース４の側壁にも、ケース貫通孔４ａ、４ｂが形成されている。ケース貫通孔４ａ、４ｂは、ドア貫通孔１ｃ、１ｄと同位置にあり、好ましくは同じ大きさか又はドア貫通孔１ｃ、１ｄよりも大きい。
【００２２】
ドア操作装置１０は、第１のドア面１ａに取り付けられた第１の支持フレーム１１と、第２のドア面１ｂに取り付けられた第２の支持フレーム２１とを有する。支持フレーム１１と支持フレーム２１とは、ドア面に垂直な方向から視て、同じ輪郭形状を有しかつ互いの輪郭形状が重なるようにドア１を挟んで反対向きに取り付けられることが好ましい。支持フレーム１１、２１のドア面１ａ、１ｂへの取付け方法は任意であり、詳細に説明しないが、例えば螺子止めや接着などを用いることができる。
【００２３】
第１の支持フレーム１１内には、戸尻側の壁に沿って鉛直方向に設けられた第１の回動軸１２と、回動軸１２の周りで回動可能に取付けられた第１の操作板１３とが配置されている。ここでの「軸」は、幾何学上の軸を含む部材を意味する。一方、第２の支持フレーム２１内にも、戸尻側の壁に沿って鉛直方向に設けられた第２の回動軸２２と、回動軸２２の周りで回動可能に取付けられた第２の操作板２３とが配置されている。回動軸１２、２２は、それぞれ支持フレーム１１、２１により支持されており、具体的には、例えば１又は複数の蝶番などにより構成されている。
【００２４】
なお、支持フレーム１１、２１の主な機能は、回動軸１２、２２を（間接的に操作板１３、２３を）支持することであるので、支持フレーム１１、２１が操作板１３、２３の全周を取り囲むことは必須ではない。したがって、操作板１３、２３が回動可能に配置される限りにおいて、支持フレーム１１、２１は任意の形状とすることができる。図１の例では、支持フレーム１１、２１の開口部を囲む適宜の幅の縁部１１ｅ、２１ｅが形成されている。これらの縁部１１ｅ、２１ｅは、必要に応じて開口部の全周又は一部に設けられ、図示のように支持フレーム１１と支持フレーム２１とで異なっていてもよい。
【００２５】
操作板１３、２３は、一例として、ドア面に垂直な方向から視て矩形の輪郭形状をもつ支持フレーム１１、２１にほぼ対応するように矩形の輪郭形状を有する。操作板１３、２３は、支持フレーム１１、２１の奥行き長さよりも薄い厚さを有する。ドア面１ａ側の回動軸１２と操作板１３は、支持フレーム１１の手前側に配置される一方、ドア面１ｂ側の回動軸２２と操作板２３は、支持フレーム２１の奥側に配置される。操作板１３、２３の広い面は、図１の非操作位置においては、ドア面１ａ、１ｂに対して平行に配置されている。操作板１３、２３の輪郭形状及び大きさは、図示の例に限られない。操作板１３、２３の輪郭形状、鉛直方向の長さ、水平方向の幅、上下左右の端縁の位置は、操作の容易性を考慮して広い範囲で自由に設定することができる。
【００２６】
本実施形態ではさらに、ドア面１ｂ側の操作板２３におけるドア１が開く方に向いた面から、この面に対し略垂直に延在する補助操作板２４が配置されている。補助操作板２４は、操作板２３と一体的に、回動軸２２の周りで回動可能である。補助操作板２４は、図示の例では矩形の輪郭形状を有する。補助操作板２４は、操作板２３に対して厳密に垂直でなくともよく、垂直位置に対して例えば−１０°〜＋１０°程度傾斜していてもよい。補助操作板２４の一方の広い面は戸先側を向き、他方の広い面は戸尻側を向いている。補助操作板２４の基端は、操作板２３における回動軸２２の近傍に配置されることが好ましい。
【００２７】
補助操作板２４の鉛直方向の長さは、操作板２３とほぼ同じ程度が好ましい。補助操作板２４は支持フレーム２１の開口部から突出するので、補助操作板２４の幅は、人や物と衝突しないことも考慮して設定することが好ましい。
【００２８】
図２（ａ）（ｂ）は、ドア操作装置１０を操作してラッチボルト３を解除した状態における図１（ａ）（ｂ）にそれぞれ対応する概略斜視図である。図２（ａ）の矢印ｒ１は、ドア面１ａ側にいる使用者が操作板１３を押す操作を示している。図２（ｂ）の矢印ｒ２は、ドア面１ｂ側にいる使用者が補助操作板２４を押す操作を示している。
【００２９】
操作板１３又は補助操作板２４をこのように操作することによって、操作板１３、２３がそれぞれ、回動軸１２、２２の周りでドア面１ｂの方に回動し、操作板１３、２３はドア面１ａ、１ｂに対して傾斜する。操作される操作板１３及び補助操作板２４は、一般的なドア取っ手に比べて大きな操作面を有する。したがって、使用者は、手指以外の身体部位、例えば肘、腕、肩、腰、脚、膝、足などのうち都合のよい部位を用いて操作板１３又は補助操作板２４の操作を行うことができる。もちろん手指を用いる操作も可能である。支持フレーム１１内に配置された操作板１３は、押す操作のみが可能である。一方、支持フレーム２１内に配置された補助操作板２４は、図示のように戸先側の面を押す操作以外に、例えば戸尻側から補助操作板２４の縁部を引く操作も可能である。
【００３０】
詳細は後述するが、ドア操作装置１０は、操作板１３、２３の回動を、ラッチボルト３の後退動作に変換する変換部を有する。したがって、使用者の操作により操作板１３、２３が回動することによって、ラッチボルト３が弾性力に抗して後退させられ、解除される。その結果、使用者は、ドア１を矢印Ｒ１のように開くことができる。すなわち、使用者は、手指を用いる必要なくドア１を開くことができる。
【００３１】
図３は、図１のＩ−Ｉ断面を拡大して概略的に示した図である。この断面は、ドア貫通孔１ｃ、１ｄ及びケース貫通孔４ａ、４ｂの位置にほぼ対応する縦断面である。本発明のドア操作装置１０は、水平方向に延在する長手軸をもつ棒状の連結ロッド５を有する。連結ロッド５は、ドア貫通孔１ｃ、１ｄを通って第１の操作板１３と第２の操作板２３とを連結している。図示の例では、連結ロッド５は、ケース貫通孔４ａ、４ｂも通過している。後述するが、連結ロッド５は、ほぼその長手軸に沿ってドア貫通孔１ｃ、１ｄ内で水平方向に動かされるので、その移動中に連結ロッド５がドア貫通孔１ｃ、１ｄの周縁に衝突しないように、連結ロッド５の断面の大きさを適切に設定する。連結ロッド５の断面形状は円でも多角形でもよい。
【００３２】
連結ロッド５の一端５ａは、操作板１３の裏面に形成された連結部１３ａと連結されている。ここでは、連結ロッド５の一端５ａが、操作板１３に対して水平面内で旋回可能に連結されている。また、連結ロッド５の他端５ｂは、操作板２３の裏面に形成された連結部２３ａと連結されている。ここでは、連結ロッド５の他端５ｂが、操作板２３に対して水平面内で旋回可能に連結されている。連結ロッド５は、変換部の構成要素の一つである。
【００３３】
図４及び図５を参照して、変換部の機構の一例を説明する。図４（ａ）は、図１（ｂ）のII−II断面の一例を概略的に示し、（ｂ）は（ａ）のIII−III断面を概略的に示している。
【００３４】
図４（ａ）に示すラッチ位置では、ラッチボルト３がバネ６により付勢されてケース４の戸先側の側面から突出している。ラッチボルト３の背面に一体に固定された操作ロッド３ａが、コイル状のバネ６を貫通してケース４の戸尻側の側面に向かって水平に延在している。操作ロッド３ａはケース４内の隔壁４ｃを貫通し、その端部には第１の連結ピン７ａが設けられている。バネ６の一端はラッチボルト３の背面により支持され、他端は隔壁４ｃにより支持されている。
【００３５】
連結ロッド５の長手軸に沿った所定の中間位置に操作点５ｃが設定され、操作点５ｃに第２の連結ピン７ｂが設けられている。
【００３６】
第１の連結ピン７ａと第２の連結ピン７ｂとの間の適宜の位置において、ケース４に固定され鉛直方向に延在する案内ピン７ｃが配置されている。さらに、ワイヤー７の一端が第１の連結ピン７ａに、他端が第２の連結ピン７ｂに連結されている。ワイヤー７の長さ及び弛みは、必要に応じて設定されている。
【００３７】
ラッチ位置では、操作板１３、２３はドア面１ａ、１ｂと平行に位置し、連結ロッド５は初期位置にある。ラッチボルト３と一体の操作ロッド３ａは、最も戸先側に寄った位置にある。
【００３８】
図４（ａ）に示すように（図３も参照）、補助操作板２４の端縁に沿って、戸先側に突出する丸みのあるリブ２４ａを形成することが好ましい。使用者がリブ２４ａに肘や足などを掛けることによって、補助操作板２４に対する操作が容易となる。
【００３９】
図５（ａ）（ｂ）は、ラッチボルト３が解除位置にあるときの図４（ａ）（ｂ）にそれぞれ対応する図である。図５（ａ）に示すラッチ解除位置では、ラッチボルト３がバネ６に抗してケース４内に後退させられている。このラッチ解除位置は、例えば、矢印ｒ１のように操作板１３を押す操作、又は、矢印ｒ２のように補助操作板２４を押す操作により実現される。いずれの操作が行われた場合も、操作板１３、２３が、回動軸１２、２２の周りでそれぞれ同時に回動する。この操作板１３と操作板２３の連動は、連結ロッド５により実現される。連結ロッド５自体も、ドア貫通孔１ｃ、１ｄ内で水平方向に移動する。操作板１３、２３の回動範囲は、支持フレーム１１、２１の内部に限定される。このために、支持フレーム１１、２１の縁部１１ｅ、２１ｅ又はドア面１ａ、１ｂがストッパの役割を果たすことが好ましい（他の類似する実施形態についても同様）。
【００４０】
連結ロッド５上の操作点５ｃ（すなわち連結ピン７ｂ）が移動すると、ワイヤー７は、案内ピン７ｃに係合して張力がかかり、さらに連結ピン７ｂの方に引っ張られる。この結果、ワイヤー７が操作ロッド３ａを戸尻側に引っ張ることによってラッチボルト３がバネ６に抗して後退する。この状態で、使用者が操作板１３又は補助操作板２４をさらに押せば、ドアが回転して開く。このとき、補助操作板２４については、身体部位をリブ２４ａに引っ掛けて引く操作を行ってもよい。
【００４１】
なお、開いた状態のドア１は、ドア面１ｂの任意の場所を押して閉じることができる。ドア１は、開いた状態で放置すると、自動的に閉位置へと戻る機構を有することが好ましい。そのような機構は周知であるが、本発明の範囲ではない。
【００４２】
使用者が、その身体部位をドア操作装置１０から離すと、ドア操作装置１０は図４のラッチ位置に戻る。このとき、バネ６の復元力によってラッチボルト３（操作ロッド３ａ）が初期位置に戻ると同時に、連結ロッド５及び操作板１３、２３も初期位置に戻ることが好ましい。図示しないが、バネ６の復元力を補助するために、連結ロッド５又は操作板１３、２３を初期位置へと弾性的に付勢する別のバネを設けてもよい（他の実施形態においても同じ）。
【００４３】
図６及び図７を参照して、変換部の機構の別の例を説明する。図６（ａ）は、図１（ｂ）のII−II断面の別の例を概略的に示し、（ｂ）は（ａ）のIV−IV断面を概略的に示している。
【００４４】
図６（ａ）に示すラッチ位置では、ラッチボルト３がバネ６により付勢されてケース４の戸先側の側面から突出している。ラッチボルト３の背面に一体に固定された操作ロッド３ａが、コイル状のバネ６を貫通してケース４の戸尻側の側面に向かって水平に延在している。操作ロッド３ａは、ケース４内の隔壁４ｃを貫通している。バネ６の一端はラッチボルト３の背面により支持され、他端は隔壁４ｃにより支持されている。操作ロッド３ａには、その先端から所定の範囲の側面にラック８ａが形成されている。さらに、ケース４内には、ラック８ａと歯合可能な位置にピニオン８ｂが配置されている。ピニオン８ｂと同軸上に、別のピニオン８ｃが設けられている。
【００４５】
連結ロッド５には、その長手軸に沿った所定の範囲の側面にラック８ｄが形成されている。図６（ｂ）に示すように、ラック８ｄは、ピニオン８ｂとは異なる高さ位置にあるピニオン８ｃと歯合可能に配置されている。
【００４６】
図６（ａ）に示すように、ラッチ位置では、操作板１３、２３はドア面１ａ、２ｂと平行に位置し、連結ロッド５は初期位置にある。ラッチボルト３と一体の操作ロッド３ａは、最も戸先側に寄った位置にある。
【００４７】
図７（ａ）（ｂ）は、ラッチボルト３が解除位置であるときの図６（ａ）（ｂ）にそれぞれ対応する図である。図７（ａ）に示すラッチ解除位置では、ラッチボルト３がバネ６に抗してケース４内に後退させられている。このラッチ解除位置は、例えば、矢印ｒ１のように操作板１３を押す操作、又は、矢印ｒ２のように補助操作板２４を押す又は引く操作により実現される。いずれの操作が行われた場合も、操作板１３、２３が、回動軸１２、２２の周りでそれぞれ同時に回動する。この操作板１３と操作板２３の連動は、連結ロッド５により実現される。連結ロッド５自体も、ドア貫通孔１ｃ、１ｄ内で水平方向に移動する。連結ロッド５が移動すると、ラック８ｄがピニオン８ｃと歯合してこれを回動させる。それによってピニオン８ｂが回動し、これと歯合する操作ロッド３ａのラック８ａが戸尻側に直線移動する。この結果、ラッチボルト３がバネ６に抗して後退する。
【００４８】
なお、図４及び図５、又は、図６及び図７にそれぞれ示した変換部の機構は一例であり、操作板１３、２３の回動を、連結ロッド５の動きを介してラッチボルト３の後退動作に変換する機構は、これらに限られない。変換部は、カム、リンク、バネ、歯車、ラック、及び／又は、電気的駆動装置などを適宜組み合わせることによって多様に構成することが可能である（他の実施形態においても同じ）。
【００４９】
また、第１の実施形態では回動軸１２、２２が鉛直軸であるが、それに替えて回動軸１２、２２を水平軸とすることも可能である。その場合、例えば、回動軸１２、２２をそれぞれ、支持フレーム１１、２１の上端又は下端に沿って取り付けることができる。その場合も、操作板１３、２３の回動により生じる連結ロッド５の動きは第１の実施形態とほぼ同じであり、連結ロッド５の動きは変換部を介して操作ロッド３ａに伝達される。
【００５０】
（２）第２の実施形態
図８は、本発明のドア操作装置１０の第２の実施形態を示す。第２の実施形態は、第１の実施形態の変形形態であるので、第１の実施形態とは異なる点のみを説明する。図８（ａ）は、図１（ｂ）のII−II断面に相当する断面を概略的に示し、（ｂ）は（ａ）のＶ−Ｖ断面を概略的に示している。
【００５１】
第２の実施形態では、ドア面に垂直な方向において、ドア貫通孔１ｃ、１ｄが、ケース４と重なっておらず、ケース４の戸尻側の側壁４ｄの外側にほぼ隣接してドア貫通孔１ｃ、１ｄが位置している。この場合、ケース４には貫通孔を設ける必要がない。その替わりに、ケース４の戸尻側の側壁４ｄに開口部４ｅが設けられている。この開口部４ｅを通して、連結ロッド５の動きがワイヤー７を介して操作ロッド３ａに伝達される。なお、図８では、図４に例示した変換部を示しているが、それに替えて図６に示した変換部を用いることもでき、さらに他の変換部を用いることもできる。なお、図示の例では、ドア本体が中空であるが、ドア本体が中実の場合は、ドア面１ａからドア面１ｂまでの全体に亘って１つの貫通孔が形成される。
【００５２】
（３）第３の実施形態
図９は、本発明のドア操作装置１０の第３の実施形態を示す。第３の実施形態については、ドア全体の外観の図示を省略するが、図１に示した第１の実施形態のドア全体の外観と類似している。但し、第３の実施形態では、ドア１が、両方のドア面１ａ、１ｂのいずれの側にも開くことが可能なドアである。
【００５３】
図９（ａ）は、ドア操作装置１０の第３の実施形態のラッチ状態の断面図であり、第１の実施形態の図４（ａ）に相当する。図９（ｂ）は、ラッチ解除状態の断面図である。
【００５４】
第３の実施形態のドア操作装置１０は、第１の実施形態と同様に、ドア１の戸先側に埋設された略直方体のケース４を有する。第３の実施形態では、ラッチボルト３が、第１及び第２のドア面１ａ、１ｂのいずれの側へも開くドアに対応した周知の形状を有する（例えば特許文献４、５を参照）。ドア１の閉位置においては、ラッチボルト３がケース４の戸先側の側面から突出し、対向するラッチ受け穴（図示せず）に入り込んでいる。これにより、ドア１は、いずれの側へも開く動作を阻止される。
【００５５】
図示の例では、第２の実施形態と同様に、ドア面に垂直な方向において、ドア貫通孔１ｃ、１ｄが、ケース４の戸尻側の側壁の外側にほぼ隣接して位置している。これに替えて、第１の実施形態と同様のケース４を採用することもできる。
【００５６】
第１の実施形態と同様に、第３の実施形態でも、ドア面１ａ、１ｂに取り付けられた支持フレーム１１、２１を有し、各支持フレーム１１、２１内にそれぞれ配置された操作板１３、２３を有する。操作板１３、２３はそれぞれ、支持フレーム１１、２１の内部空間にほぼ嵌合する輪郭形状を有し、支持フレーム１１、２１の奥行き長さよりも薄い厚さを有する。この場合、操作板２３に補助操作板は設けられていない。２つの操作板１３、２３の回動軸１２、２２は、支持フレーム１１、２１の戸尻側の壁に沿って鉛直方向に延在する。第３の実施形態では、回動軸１２、２２が、各支持フレーム１１、２１の奥行き長さの中央に位置する。操作板１３、２３は、ドア貫通孔１ｃ、１ｄを通過する連結ロッド５により連結されている。よって、操作板１３、２３は、連結ロッド５を介して連動する。
【００５７】
第３の実施形態では、使用者がドア面１ａ側から操作板１３を押すか、又は、ドア面１ｂ側から操作板２３を押して、操作板１３、２３を回動させる操作を行うことによって連結ロッド５が動き、ラッチボルト３が解除され、ドア１を開くことが可能となる。ドア操作装置１０は、操作板１３、２３の回動による連結ロッド５の動きをラッチボルト３の後退動作に変換する変換部を有する。操作板１３、２３は従来の取っ手に比べて大きな操作面を有するので、使用者は、手指以外の身体部位を用いて操作板１３、２３を容易に操作することができる。
【００５８】
図９（ａ）に示すラッチ位置では、ラッチボルト３がバネ６により付勢されてケース４の戸先側の側面から突出している。ラッチボルト３の背面に一体に固定された操作ロッド３ａが、コイル状のバネ６を貫通してケース４の戸尻側の側面に向かって水平に延在している。操作ロッド３ａはケース４内の隔壁４ｃを貫通し、その端部には第１の連結ピン７ａが設けられている。バネ６の一端はラッチボルト３の背面により支持され、他端は隔壁４ｃにより支持されている。
【００５９】
一方、連結ロッド５の長手軸に沿った所定の中間位置に操作点５ｃが設定され、操作点５ｃに第２の連結ピン７ｂが設けられている。
【００６０】
第１の連結ピン７ａと第２の連結ピン７ｂとの間の適宜の位置において、ケース４に固定され鉛直方向に延在する複数の案内ピン７ｃが配置されている。さらに、２本のワイヤー７１、７２が、必要に応じた長さ及び弛みをもって設けられている。いずれのワイヤー７１、７２も、一端が第１の連結ピン７ａに、他端が第２の連結ピン７ｂに連結されている。但し、ワイヤー７１とワイヤー７２は、複数の案内ピン７ｃによって互いに異なる経路が規定されている。
【００６１】
図９（ａ）に示すように、ラッチ位置では、操作板１３、２３はドア面１ａ、１ｂと平行に位置し、操作点５ｃはドア１の厚さ方向の中央に位置している。
【００６２】
図９（ｂ）は、矢印ｒ１のようにドア面１ａ側から操作板１３を押したときのラッチ解除状態を示している。この操作によって、操作板１３は、回動軸１２の周りでドア面１ｂの方に回動する（連結ロッド５により操作板２３も連動する）。操作板１３の回動範囲は、支持フレーム１１によって規定される。操作板１３、２３の回動に伴って、連結ロッド５の操作点５ｃ及び第２の連結ピン７ｂが、ドア面１ｂの方に移動する。これによってワイヤー７１は、案内ピン７ｃと係合して張力がかかり、操作ロッド３ａを戸尻側に引っ張る。その結果、ラッチボルト３がバネ６に抗して後退し、ラッチ解除される。図示しないが、ドア面１ｂ側から操作板２３を押したときは、操作板１３、２３及び変換部が、図９（ｂ）とは対称的な動作を行う。そして、ワイヤー７２が操作ロッド３ａを引張ることによってラッチボルト３が後退し、ラッチ解除される。
【００６３】
（４）第４の実施形態
図１０は、本発明のドア操作装置１０の第４の実施形態を示す。第４の実施形態は、第３の実施形態の変形形態であるので、第３の実施形態とは異なる点のみを説明する。図１０は、ドア操作装置１０のラッチ状態の断面図であり、第３の実施形態の図９（ａ）に相当する。ラッチ解除状態は、図９（ｂ）とほぼ同じであるので図示を省略する。
【００６４】
第４の実施形態では、第３の実施形態における操作板１３、２３の各々に、補助操作板１４、２４が設けられている。それ以外の構成は、第３の実施形態と同じである。補助操作板１４、２４は、上述した第１の実施形態における補助操作板２４と同様である。この場合、補助操作板１４、２４を戸尻側に押す操作によって、操作板１３、２３をそれぞれ回動させることができる。操作板１３、２３が回動することにより生じる変換部の動作及びラッチ解除動作は、第３の実施形態と同じである。
【００６５】
（５）第５の実施形態
図１１は、本発明のドア操作装置１０の第５の実施形態を示す。第５の実施形態については、ドア全体の外観の図示を省略するが、図１に示した第１の実施形態のドア全体の外観と類似している。第５の実施形態のドア１は、両方のドア面１ａ、１ｂのうち一方の側にのみ、ここではドア面１ｂの側にのみ開くことが可能なドアである。第５の実施形態は、操作板が直線移動する点で第１の実施形態とは異なる。
【００６６】
図１１（ａ）は、ドア操作装置１０の第５の実施形態のラッチ状態の断面図であり、第１の実施形態の図４（ａ）に相当する。図１１（ｂ）は、ラッチ解除状態の断面図である。
【００６７】
図１１に示した第５の実施形態におけるケース４は、第２の実施形態のものと同じであるが、第１の実施形態と同じケース４を採用してもよい。図１１（ａ）に示すラッチ位置では、ラッチボルト３がケース４の戸先側の側面から突出し、対向するラッチ受け穴（図示せず）に入り込んでいる。これにより、ドア１は、ドア面１ｂ側へ開く動作を阻止されている。
【００６８】
図１１（ａ）に示すように、ドア操作装置１０は、ドア面１ａ、１ｂに取り付けられた支持フレーム１１、２１を有し、各支持フレーム１１、２１内にそれぞれ配置された操作板１３、２３を有する。操作板１３、２３はそれぞれ、支持フレーム１１、２１の内部空間にほぼ嵌合する輪郭形状を有し、支持フレーム１１、２１の奥行き長さよりも薄い厚さを有する。操作板１３、２３の平坦な両面は、ドア面１ａ、１ｂに平行である。連結ロッド５及び変換部の構成は、第１の実施形態と同じである。すなわち、操作板１３と操作板２３は、ドア貫通孔１ｃ、１ｄを通る連結ロッド５により連結されている。
【００６９】
図１１（ａ）のラッチ位置においては、ドア面１ａ側の支持フレーム１１内の操作板１３は、支持フレーム１１の奥行き方向において手前側に配置されている。一方、ドア面１ｂ側の支持フレーム２１内の操作板２３は、支持フレーム２１の奥行き方向において奥側に配置されている。さらに操作板２３には、ドア１が開く側に向いた面から垂直な方向に突出する支持部材２６が設けられ、支持部材２６の先端には補助操作板２４が設けられている。
【００７０】
補助操作板２４は、操作板２３と略平行となるように取り付けられている。しかしながら、補助操作板２４は、操作板２３に対して厳密に平行でなくともよく、平行位置に対して例えば−１０°〜＋１０°程度傾斜していてもよい。
【００７１】
支持部材２６は、一例として、操作板２３のほぼ中心から突出する棒状部材である。支持部材２６は、支持フレーム２１の開口部からさらに所定の長さだけ突出している。支持部材２６の全長は、使用者が操作板２３と補助操作板２４との間の間隙に肘や足などの身体部位を入れてそれを補助操作板２４に引っ掛け、補助操作板２４を引くことができる程度に設定する。補助操作板２４の大きさ及び輪郭形状も、操作しやすいように適宜設定する。補助操作板２４の輪郭形状は、例えば円形である。また、使用者が引っ掛けやすくするために、補助操作板２４の周縁に丸みのあるリブ２４ａを設けることが好ましい。
【００７２】
操作板１３、２３はそれぞれ、ドア面１ａ、１ｂに対し垂直な方向において直線移動可能に設置されている。このために例えば、支持フレーム１１、２１内の床面には、一対のレール１５、２５がドア面に垂直な方向に形成されている。例えば、レール１５、２５を突条とし、それに嵌合する溝を、対向する操作板１３、２３の下面に形成する。図示しないが、支持フレーム１１、２１内の天井面及び操作板１３、２３の上面にも、同様のレール機構を設けることが好ましい。なお、支持フレーム１１、２１内で操作板１３、２３を円滑に直線移動させる機構は、これに限られない。
【００７３】
一例として、ドア面に垂直な方向から視た支持フレーム１１、２１及び操作板１３、２３の輪郭形状は矩形であるが、矩形に限られない。支持フレーム１１、２１内で操作板１３、２３が直線移動可能な構成であれば、支持フレーム１１、２１及び操作板１３、２３の輪郭形状を、円や多角形とすることもできる。
【００７４】
図１１（ｂ）は、矢印ｍ１のようにドア面１ａ側から操作板１３を押すか、又は、矢印ｍ２のようにドア面１ｂ側から補助操作板２４を引いたときのラッチ解除状態を示している。この押し又は引きの操作によって、操作板１３、２３はそれぞれ、支持フレーム１１、２１内で反対側の端まで直線移動する。これによって、連結ロッド５もドア貫通孔１ｃ、１ｄ内で直線移動する。操作板１３、２３の移動範囲は、支持フレーム１１、２１の奥行き長さで規定される。このために、例えば、支持フレーム１１、２１の縁部１１ｅ、２１ｅが、操作板１３、２３のストッパの役割を果たしている。
【００７５】
図１１（ｂ）に示すように、連結ロッド５の操作点５ｃ及び連結ピン７ｂが移動すると、ワイヤー７１は、案内ピン７ｃに係合することで張力がかかり、操作ロッド３ａを戸尻側に引っ張る。その結果、ラッチボルト３がバネ６に抗して後退し、ラッチ解除される。
【００７６】
（６）第６の実施形態
図１２は、本発明のドア操作装置１０の第６の実施形態を示す。第６の実施形態は、第５の実施形態に類似しているが、第６の実施形態のドア１は、両方のドア面１ａ、１ｂのうちいずれの側にも開くことが可能なドアである。図１２（ａ）は、ドア操作装置１０の第６の実施形態のラッチ状態の断面図であり、（ｂ）は、ラッチ解除状態の断面図である。
【００７７】
図１２（ａ）に示すように、第６の実施形態ではドア面１ａ、１ｂの両方の側に、第５の実施形態（図１１）のドア面１ｂ側と同じ構成が設けられている。但し、操作板１３、２３はそれぞれ、支持フレーム１１、２１の奥行き長さの中央に配置されている。操作板１３には支持部材１６を介して補助操作板１４が設けられ、操作板２３には支持部材２６を介して補助操作板２４が設けられている。ドア操作装置１０は、ドア１を挟んで鏡像対称の構成を有する。図１２に示した変換部は、一例であるが、図９に示した第３の実施形態と同じものであるので説明を省略する。
【００７８】
図１２（ｂ）は、矢印ｍ１のようにドア面１ａ側から補助操作板１４を押すか、又は、矢印ｍ２のようにドア面１ｂ側から補助操作板２４を引いたときの状態を示している。この押し又は引きの操作によって、操作板１３、２３は支持フレーム１１、２１内で直線移動し、連結ロッド５もドア貫通孔１ｃ、１ｄ内で直線移動する。連結ロッド５の動きがワイヤー７１を介して操作ロッド３ａに伝達されることで、ラッチボルト３が後退し、ラッチ解除される。これにより、ドア１をドア面１ｂ側に開くことができる。図示しないが、逆にドア１をドア面１ａ側に開くときは、ドア面１ａ側から補助操作板１４を引くか、又は、ドア面１ｂ側から補助操作板２４を押す操作を行う。
【００７９】
図示しないが、第６の実施形態の変形形態として、ドア面１ａ、１ｂの両方の側に、第５の実施形態（図１１）のドア面１ａ側と同じ構成を設けた形態も考えられる。その場合も、ドア操作装置１０は、ドア１を挟んで鏡像対称の構成を有する。この変形形態においては、ドア１をドア面１ｂ側に開くときはドア面１ａ側で操作板１３を押す操作を行い、そしてドア１をドア面１ａ側に開くときはドア面１ｂ側で操作板２３を押す操作を行う。
【００８０】
第１〜第６の実施形態では、既存のドアの取っ手とケース（ラッチボルト含む）を取り外し、それらに替えてドア操作装置１０を設置することが可能である。その場合、既存のケース埋設穴にケース４を埋設し、そして既存の取っ手の取付孔をドア貫通孔１ｃ、１ｄとして利用して連結ロッド５を通すことが好ましい。
【００８１】
（７）第７の実施形態
図１３〜図１６を参照して、本発明のドア操作装置１０の第７の実施形態を説明する。図１３（ａ）は、第７の実施形態のドア操作装置１０を取り付けたドア１を一方のドア面１ａから視た概略斜視図であり、（ｂ）は、反対側のドア面１ｂから視た概略斜視図である。ドア１は、両方のドア面１ａ、１ｂのうち一方の側にのみ、ここではドア面１ｂの側にのみ開くことが可能なドアである。例えば、ドア面１ａが廊下側に、ドア面１ｂが室内側に面している。図１３は、ドア１が閉位置にある状態を示している。
【００８２】
第７の実施形態のドア操作装置１０は、互いに反対向きの第１及び第２のドア面１ａ、１ｂにそれぞれ取り付けられた構成要素からなる。第７の実施形態では、ドア１自体は既存の状態のままである。すなわち、ドア操作装置１０を取り付けるために、既存のケース４（ラッチボルト３を内蔵）及び既存の取っ手５０、６０をドア１から取り外す必要はない。ドア操作装置１０は、使用者が手指以外の身体部位を用いて操作するのに適した構成を有する。使用者がドアを開くためにドア操作装置１０を操作したとき、ドア操作装置１０が取っ手５０、６０を動かすように、ドア操作装置１０が構成されている。その際、取っ手５０、６０は、使用者が手指を用いて取っ手５０、６０を直接操作したときと同じ動きをすることができる。
【００８３】
図１３に示すドア１の閉位置においては、弾性的に付勢されたラッチボルト３がケース４から突出し、対向するラッチ受け穴（図示せず）に入り込んでいる。これにより、ドア１は、ドア面１ｂの方へ開く動作を阻止される。
【００８４】
ドア操作装置１０は、第１及び第２のドア面１ａ、１ｂ上に取り付けられた構成要素として、第１のドア面１ａに取り付けられた第１の支持フレーム１１と、第２のドア面１ｂに取り付けられた第２の支持フレーム２１とを有する。好ましくは、支持フレーム１１と支持フレーム２１とは、ドア面に垂直な方向から視てほぼ同じ輪郭形状を有し、ほぼ同じ位置に取り付けられる。支持フレーム１１、２１のドア面１ａ、１ｂへの取付け方法は任意であり、例えば螺子止めや接着などを用いることができる。
【００８５】
第１の支持フレーム１１は、一例として、第１の操作板１３を支持するフレーム上部と、第１の変換部１７を収容するフレーム下部とから構成されている。操作板１３は、フレーム上部の戸尻側の壁に沿って鉛直方向に設けられた第１の回動軸１２の周りで回動軸１２と共に回動可能に取付けられている。操作板１３は、矩形の輪郭形状を有し、図１３の非操作位置でドア面１ａに平行に配置されている。
【００８６】
一方、第２の支持フレーム２１も、一例として、第２の操作板２３を支持するフレーム上部と、第２の変換部２７を収容するフレーム下部とから構成されている。操作板２３は、フレーム上部の戸先側と戸尻側の間の適宜の中間位置にて鉛直方向に設けられた第２の回動軸２２の周りで回動軸２２と共に回動可能に取付けられている。操作板２３は、矩形の輪郭形状を有し、図１３の非操作位置ではドア面１ｂに対して垂直に配置されている。第２の操作板２３は、ドア面１ｂに対して厳密に垂直でなくともよく、垂直位置に対して例えば−１０°〜＋１０°程度傾斜していてもよい。
【００８７】
回動軸１２、２２は、具体的には、例えば１又は複数の蝶番などにより構成されている。支持フレーム１１、２１の各々のフレーム上部の形状は、操作板１３、２３を回動可能に配置することができる限りにおいて、任意の形状とすることができる。
【００８８】
操作板１３、２３は、既存の取っ手５０、６０に比べて大きな操作面を有する。操作板１３、２３の輪郭形状及び大きさは、図示の例に限られない。操作板１３、２３の輪郭形状、鉛直方向の長さ、水平方向の幅、上下左右の端縁の位置は、操作の容易性を考慮して広い範囲で設定することができる。
【００８９】
支持フレーム１１、１２の各々のフレーム下部は、その内部空間に変換部１７、２７をそれぞれ収容している。ドア面１ａ側の変換部１７は、支持フレーム１１の下面から下方に突出する操作ロッド１７ａを有し、操作ロッド１７ａの下端は取っ手５０に当接している。同様に、ドア面１ｂ側の変換部２７は、支持フレーム２１の下面から下方に突出する操作ロッド２７ａを有し、操作ロッド２７ａの下端は取っ手６０に当接している。取っ手５０、６０は、一例としてレバーハンドルであるが、本発明のドア操作装置は、レバーハンドル以外の取っ手にも適用可能である。
【００９０】
図示しないが別の例として、支持フレーム１１、１２のフレーム下部が、操作ロッド１７ａ、２７ａ及び取っ手５０、６０も覆うように構成することもできる。
【００９１】
図１４（ａ）（ｂ）は、図１３（ａ）（ｂ）にそれぞれ対応する概略斜視図であるが、ドア操作装置１０を操作してラッチボルト３を解除した状態を示している。図１４（ａ）に示す矢印ｒ１は、使用者がドア面１ａ側から操作板１３を押す操作を示している。図１４（ｂ）に示す矢印ｒ２は、使用者がドア面１ｂ側から操作板２３を押す操作を示している。
【００９２】
操作板１３、２３をこのように操作することによって、操作板１３、２３がそれぞれ、回動軸１２、２２の周りで回動し、ドア面１ａ、１ｂに対する角度がそれぞれ変化する。支持フレーム１１、２１には、操作板１３、２３の回動を制限するストッパの役割を果たす傾斜面がそれぞれ形成されている。
【００９３】
操作される操作板１３、２３は、既存の取っ手５０、６０に比べて大きな操作面を有する。したがって、使用者は、手指以外の身体部位、例えば肘、腕、肩、腰、脚、膝、足などのうち都合のよい部位を用いて操作板１３、２３の操作を行うことができる。もちろん手指を用いる操作も可能である。支持フレーム１１に配置された操作板１３は、押す操作のみが可能である。一方、支持フレーム２１に配置された操作板２３は、図示のように戸先側の面を押す操作以外に、例えば戸尻側から操作板２３の縁部を引く操作も可能である。
【００９４】
変換部１７、２７は、操作板１３、２３の回動、すなわち回動軸１２、２２の回動を、取っ手５０、６０の動き（レバーハンドルの場合は回動）に変換する機構を備えている。したがって、使用者が操作板１３、２３を回動させることによって、取っ手５０、６０は直接操作されたときと同じように動かされる。その結果、ラッチボルト３が弾性力に抗して後退させられ解除される。使用者が、続けて操作板１３、２３にさらに力を加えると、ドア１を矢印Ｒ１のように開くことができる。すなわち、使用者は、手指を用いる必要なくドア１を開くことができる。
【００９５】
図１５及び図１６を参照して、変換部１７、２７について説明する。図１５は、図１４（ｂ）のVI−VI断面の一例を概略的に示している。図１６（ａ）は、ラッチ解除状態における図１５に対応する図であり、（ｂ）は、（ａ）のVII−VII断面の一部を示した図である。
【００９６】
図１５に示すラッチ位置では、ラッチボルト３が弾性的に付勢されてケース４の戸先側の側面から突出している。取っ手５０、６０の操作レバーは水平方向に延びている。ドア操作装置１０の支持フレーム１１、２１はフレーム上部１１ａ、２１ａには、操作板１３、２３が回動軸１２、２２の周りで回動可能に取り付けられている。本実施形態では、回動軸１２、２２が操作板１３、２３と共に回動する。操作板１３、２３の回動範囲は、ストッパ面１１ａ１、２１ａ１により制限されている。
【００９７】
支持フレーム１１、２１のフレーム下部１１ｂ、２１ｂには、変換部１７、２７が収容されている。フレーム下部１１ｂ、２１ｂの下面から下方に突出する操作ロッド１７ａ、２７ａは、ラッチ位置では、鉛直方向において最も高い位置にある。操作ロッド１７ａ、２７ａの下端は、取っ手５０、６０の操作レバーの先端近傍の上に当接している。
【００９８】
図１６（ａ）に示すラッチ解除位置では、ラッチボルト３が弾性力に抗してケース４内に後退させられている。このラッチ解除位置は、矢印ｒ１のように操作板１３を押す操作、又は、矢印ｒ２のように操作板２３を押す操作により実現される。図１６（ａ）では、説明のために操作板１３、２３の両方が操作された状態を示しているが、通常はいずれか一方のみが操作される。そして、操作された操作板１３、２３のみがその回動軸１２、２２と共に回動する。
【００９９】
図１６（ｂ）のVII−VII断面は、支持フレーム２１のフレーム下部２１ｂよりも下方部分のみを概略的に示している。フレーム下部２１ｂの内部空間には、変換部２７の一例を模式的に示している。もう１つの変換部１７は、変換部２７と実質的に同じ構成であるので説明を省略する。
【０１００】
回動軸２２の下端は、フレーム下部２１ｂ内に延在している。回動軸２２の下端にはかさ歯車２７１が設けられている。かさ歯車２７１は、水平方向の軸をもつ別のかさ歯車２７２と歯合している。かさ歯車２７２の軸上にはピニオン２７３が設けられている。ピニオン２７２は、操作ロッド２７ａの１つの側面に形成されたラック２７４と歯合している。この変換部２７の機構によって、回動軸２２の回動ｒ２が、操作ロッド２７ａの鉛直下方への移動ｍ２に変換される。
【０１０１】
操作ロッド２７ａが鉛直可能に移動することにより、取っ手６０の操作レバーが下方に押され、取っ手６０は矢印ｒ４のように回動する。この取っ手６０の動きは、取っ手６０が直接操作されたときと同じ動きである。よって、これによりラッチ解除される。
【０１０２】
続いて、使用者がその身体部位をドア操作装置１０から離すと、ドア操作装置１０は、図１５のラッチ位置に戻る。このとき、ケース４内のバネ（図示せず）の復元力によってラッチボルト３が初期位置に戻ると同時に、操作ロッド２７ａ及び変換部を介して、操作板２３も初期位置に戻る。なお、ケース４内のバネの復元力を補助するために、操作板を初期位置へと弾性的に付勢する別のバネを設けてもよい。
【０１０３】
なお、図１６（ｂ）に示した変換部の機構は一例であり、操作板１３、２３の回動を、取っ手５０、６０の動きに変換する機構は、これに限られない。変換部は、カム、リンク、バネ、歯車、ラック、及び／又は、電気的駆動装置などを適宜組み合わせることによって多様に構成することが可能である（他の類似の実施形態においても同じ）。
【０１０４】
また、第７の実施形態では回動軸１２、２２が鉛直軸であるが、それに替えて回動軸１２、２２を水平軸とすることも可能である。その場合、例えば、回動軸１２、２２をそれぞれ、フレーム上部１１ａ、２１ａの上端又は下端に沿って取り付けることができる。その場合も、操作板１３、２３の回動が取っ手５０、６０の動きに変換されるように、変換部１７、２７が構成される。
【０１０５】
なお、第７の実施形態では、変換部１７、２７を操作板１３、２３の下方に配置しているが、別の例として、操作板１３、２３の位置及び／又は回動軸１２、２２の向きに応じて、変換部１７、２７を操作板１３、２３の上方又は側方に設けることもできる。
【０１０６】
（８）第８の実施形態
図１７（ａ）は、ドア操作装置１０の第８の実施形態におけるラッチ状態の断面図であり、第７の実施形態の図１５に相当する。図１７（ｂ）は、ラッチ解除状態の断面図である。第８の実施形態については、ドア全体の外観の図示を省略するが、図１３に示した第７の実施形態のドア全体の外観と類似している。但し、第８の実施形態では、ドア１が、両方のドア面１ａ、１ｂのいずれの側にも開くことが可能なドアである。
【０１０７】
第８の実施形態のドア操作装置１０は、ドア面１ａ、１ｂの両方において同じ構成を有する。すなわち、第７の実施形態のドア面１ａ側と同じ構成が、ドア面１ｂ側にも設けられている。よって、本実施形態のドア操作装置１０は、ドア１を挟んで鏡像対称の構成を有する。
【０１０８】
図１７（ｂ）に示すように、矢印ｒ１のようにドア面１ａ側から操作板１３を回動させるか、又は、矢印ｒ２のようにドア面１ｂ側から操作板２３を回動させることによって、変換部１７、２７を介して操作ロッド１７ａ、２７ａが鉛直下方に移動させられ、取っ手５０、６０が矢印ｒ３、ｒ４のように動かされてラッチ解除される。
【０１０９】
（９）第９の実施形態
図１８（ａ）は、ドア操作装置１０の第９の実施形態におけるラッチ状態の断面図であり、第７の実施形態の図１５に相当する。図１８（ｂ）は、ラッチ解除状態の断面図である。第９の実施形態は、第８の実施形態の変形形態である。
【０１１０】
第９の実施形態のドア操作装置１０は、ドア面１ａ、１ｂの両方において同じ構成を有する。すなわち、第７の実施形態のドア面１ｂ側と同じ構成が、ドア面１ａ側にも設けられている。よって、本実施形態のドア操作装置１０は、ドア１を挟んで鏡像対称の構成を有する。
【０１１１】
図１８（ｂ）に示すように、矢印ｒ１のようにドア面１ａ側から操作板１３を回動させるか、又は、矢印ｒ２のようにドア面１ｂ側から操作板２３を回動させると、変換部１７、２７を介して操作ロッド１７ａ、２７ａが鉛直下方に移動させられ、取っ手５０、６０が矢印ｒ３、ｒ４のように動かされてラッチ解除される。
【０１１２】
（１０）第１０の実施形態
図１９、図２０を参照して、本発明のドア操作装置１０の第１０の実施形態を説明する。第１０の実施形態については、ドア全体の外観の図示を省略するが、図１３に示した第７の実施形態のドア全体の外観と類似している。第１０の実施形態のドア１は、両方のドア面１ａ、１ｂのうち一方の側にのみ、ここではドア面１ｂの側にのみ開くことが可能なドアである。第１０の実施形態は、操作板が直線移動する点で第７の実施形態とは異なる。
【０１１３】
図１９は、ドア操作装置１０の第１０の実施形態のラッチ状態の断面図であり、第７の実施形態の図１５に相当する。図２０は、ラッチ解除状態の断面図である。図１９に示すラッチ位置では、ラッチボルト３がケース４の戸先側の側面から突出し、対向するラッチ受け穴（図示せず）に入り込んでいる。これにより、ドア１は、ドア面１ｂ側へ開く動作を阻止されている。
【０１１４】
図１９に示すように、ドア操作装置１０は、ドア面１ａ、１ｂ上に取り付けられた支持フレーム１１、２１を有する。支持フレーム１１、２１のフレーム上部１１ａ、２１ａの形状は、例えば、図１に示した第１の実施形態の支持フレーム１１の全体形状と類似している。支持フレーム１１、２１のフレーム下部１１ｂ、２１ｂは、第７〜９の実施形態と同様に変換部１７、２７を収容する内部空間を有する。図１９の断面では、フレーム下部１１ｂ、２１ｂの上面が見えている。
【０１１５】
フレーム上部１１ａ、２１ａ内には、操作板１３、２３がそれぞれ配置されている。操作板１３、２３はそれぞれ、フレーム上部１１ａ、２１ａの内部空間にほぼ嵌合する輪郭形状を有し、フレーム上部１１ａ、２１ａの奥行き長さよりも薄い厚さを有する。図１９のラッチ位置においては、操作板１３は、フレーム上部１１ａの奥行き方向において手前側に配置されている。一方、操作板２３は、フレーム上部２１ａの奥行き方向において奥側に配置されている。さらに操作板２３には、ドア１が開く側に向いた面から垂直な方向に突出する支持部材２６が設けられ、支持部材２６の先端には補助操作板２４が設けられている。
【０１１６】
補助操作板２４は、操作板２３と略平行となるように取り付けられている。しかしながら、補助操作板２４は、操作板２３に対して厳密に平行でなくともよく、平行位置に対して例えば−１０°〜＋１０°程度傾斜していてもよい。
【０１１７】
好ましくは、支持部材２６は、操作板２３のほぼ中心から突出する棒状部材である。支持部材２６は、支持フレーム２１の開口部からさらに所定の長さだけ突出している。支持部材２６の全長は、使用者が操作板２３と補助操作板２４との間の間隙に肘や足などの身体部位を入れてそれを補助操作板２４に引っ掛け、補助操作板２４を引くことができる程度に設定する。補助操作板２４の大きさ及び輪郭形状も、操作しやすいように適宜設定する。補助操作板２４の輪郭形状は、例えば円形である。また、使用者が引っ掛けやすくするために、補助操作板２４の周縁に丸みのあるリブ２４ａを設けることが好ましい。
【０１１８】
操作板１３、２３はそれぞれ、ドア面１ａ、１ｂに対し垂直な方向に直線移動可能に設置されている。このために、フレーム上部１１ａ、２１ａの床面（フレーム下部１１ｂ、２１ｂの上面）には、それぞれ一対のレール１５、２５がドア面に垂直な方向に形成されている。例えば、レール１５、２５を突条とし、それに嵌合する溝を、対向する操作板１３、２３の下面に形成する。図示しないが、フレーム上部１１ａ、２１ａの天井面及び操作板１３、２３の上面にも、同様のレール機構を設けることが好ましい。なお、支持フレーム１１、２１により操作板１３、２３を支持しかつ円滑に直線移動させる機構は、これに限られない。
【０１１９】
一例として、ドア面に垂直な方向から視たフレーム上部１１ａ、２１ａ及び操作板１３、２３の輪郭形状は矩形であるが、矩形に限られない。支持フレーム１１、２１により操作板１３、２３を支持しかつ直線移動させることが可能な構成であれば、支持フレーム１１、２１及び操作板１３、２３の輪郭形状は、円や多角形などでもよい。
【０１２０】
さらに、操作板１３、２３の下面には、下方に突出する棒状の伝達ロッド１８、２８がそれぞれ形成されている。伝達ロッド１８、２８は、フレーム上部１１ａ、２１ａの床面（フレーム下部１１ｂ、２１ｂの上面）に形成されたスリット１９、２９をそれぞれ貫通し、フレーム下部１１ｂ、２１ｂの内部空間に延在している。操作板１３、２３の直線移動動作に伴って、伝達ロッド１８、２８もそれぞれスリット１９、２９内で直線移動する。
【０１２１】
図２０に示すラッチ解除状態は、矢印ｍ１のようにドア面１ａ側から操作板１３を押すか、又は、矢印ｍ２のようにドア面１ｂ側から補助操作板２４を引いたときに実現される。この押し又は引きの操作によって、操作板１３、２３はそれぞれ、フレーム上部１１ａ、２１ａ内で反対側の端まで直線移動する。これによって、伝達ロッド１８、２８もそれぞれスリット１９、２９内で直線移動する。
【０１２２】
フレーム下部１１ｂ、２１ｂ内には変換部１７、２７がそれぞれ配置されている。変換部１７、２７は、伝達ロッド１８、２８の水平方向の直線移動を、操作ロッド１７ａ、２７ａの鉛直方向の下方移動へと変換する機構を備えている。その結果、取っ手５０、６０が、それぞれ符号ｒ３、ｒ４のように回動し、ラッチボルト３が解除される。
【０１２３】
（１１）第１１の実施形態
図２１は、ドア操作装置１０の第１１の実施形態のラッチ状態の断面図であり、第１０の実施形態の図１９に相当する断面である。第１１の実施形態は、第１０の実施形態と類似している。但し、第１１の実施形態では、ドア１が、両方のドア面１ａ、１ｂのいずれの側にも開くことが可能なドアである。
【０１２４】
第１１の実施形態のドア操作装置１０は、ドア面１ａ、１ｂの両方において同じ構成を有する。すなわち、第１０の実施形態のドア面１ａ側と同じ構成が、ドア面１ｂ側にも設けられている。よって、本実施形態のドア操作装置１０は、ドア１を挟んで鏡像対称の構成を有する。
【０１２５】
第１１の実施形態においてラッチ解除するためには、ドア面１ａ側から操作板１３を押すか、又は、ドア面１ｂ側から操作板２３を押す操作を行う。いずれの操作を行った場合も、図２０に示したドア面１ａ側における操作と同じようにラッチ解除される。
【０１２６】
（１２）第１２の実施形態
図２２は、ドア操作装置１０の第１２の実施形態のラッチ状態の断面図である。第１２の実施形態は、第１１の実施形態の変形形態である。
【０１２７】
第１２の実施形態のドア操作装置１０は、ドア面１ａ、１ｂの両方において同じ構成を有する。ここでは、第１０の実施形態のドア面１ｂ側と同じ構成が、ドア面１ａ側にも設けられている。よって、本実施形態のドア操作装置１０は、ドア１を挟んで鏡像対称の構成を有する。但し、操作板１３、２３はそれぞれ、フレーム上部１１ａ、２１ａの奥行き長さの中央に配置されている。操作板１３には支持部材１６を介して補助操作板１４が設けられ、操作板２３には支持部材２６を介して補助操作板２４が設けられている。ドア操作装置１０は、ドア１を挟んで鏡像対称の構成を有する。
【０１２８】
第１２の実施形態においてラッチ解除するためには、ドア面１ａ側から補助操作板１４を押す若しくは引くか、又は、ドア面１ｂ側から補助操作板２４を押す若しくは引く操作を行う。
【０１２９】
（１３）第１３の実施形態
図２３（ａ）〜（ｃ）を参照して、本発明の第１３の実施形態を説明する。図２３（ａ）は、一般的なドアノブ６０Ａの外観を示す概略斜視図である。このようなドアノブ６０Ａに本発明のドア操作装置を適用する場合、図２３（ｂ）に示すアタッチメント４５を用いる。アタッチメント４５は、本発明のドア操作装置の変換部に含まれる構成要素である。アタッチメント４５は、ドアノブ６０Ａの周囲を取り囲んで固定される環状固定部４５ａと、環状固定部４５ａの周上の一箇所から放射方向に突出するレバー部４５ｂとを有する。レバー部４５ｂの先端近傍の上面に、変換部の操作ロッド２７ａの下端が当接している。
【０１３０】
図２３（ｃ）に示すように、ドア操作装置が操作されると、操作ロッド２７ａが鉛直下方に移動し、アタッチメント４５のレバー部４５ｂを押し下げる。レバー部４５ｂは、レバーハンドルにおける操作レバーと同じ役割を果たす。これによりドアノブ６０Ａが、矢印ｒ４のように回動し、ラッチ解除される。
【０１３１】
第７〜第１２の実施形態では、既存のドアの取っ手とケース（ラッチボルト含む）を維持したまま、ドア操作装置１０を設置することが可能である。上述した例では、変換部の操作ロッドが上方からレバーハンドルを押し下げる形態のみを示したが、それに替えて変換部の操作ロッドが下方からレバーハンドルを引き下げる形態とすることもできる。また、既存の取っ手がプッシュプルハンドルの場合は、変換部の操作ロッドを水平方向に移動させことによってプッシュプルハンドルを動かすことができる。
【０１３２】
既存のドアの取っ手を維持したまま、ドア操作装置１０を設置する場合、既存の取っ手はドア面からの距離や形状が様々であるので、変換部の操作ロッド２７ａと既存の取っ手の位置関係が必ずしも最適であるとは限らない。その場合、変換部の操作ロッド２７ａと既存の取っ手との間に、力を伝達するためのアタッチメントを介在させた形態が有効である。そのようなアタッチメントは、操作ロッドの延長部であってもよく、又は、第１３の実施形態のように取っ手に取り付けるものでもよい。そのようなアタッチメントは、変換部の構成要素の一つとみなす。したがって、本発明のドア操作装置１０は、変換部の操作ロッド２７ａが既存の取っ手に対して直接作用する形態に限定されず、間接的に作用する形態も含む。
【０１３３】
第７〜第１２の実施形態の実施形態において、変換部の操作ロッド２７ａに替えて、ワイヤー状部材とその下端に取り付けられた錘を用いる形態も考えられる。錘の重量は、レバーハンドルにその重量が印加されたときレバーハンドルが回転するように設定される。さらに、非操作時には、錘の重量がレバーハンドルに印加されないように、錘を取り付けたワイヤー状部材を吊り下げる機構が、変換部に設けられている。例えば、錘の重量より大きい力によって操作板１３、２３を非操作位置に維持するように操作板１３、２３を弾性的に付勢するバネが適宜の箇所に設けられる。使用者がその弾性力に抗して操作板１３、２３を操作したとき、錘の重量がレバーハンドルに印加されることになる。このような機構も、変換部の構成要素の一つとみなす。
【０１３４】
（１４）その他の実施形態
上述した各実施形態において、使用者による操作を容易とするように、操作板及び／又は補助操作板が十分に大きいことが好ましい。例えば、操作板又は補助操作板の鉛直方向の長さが、ドア高さ（例えば１８０ｃｍ〜２７０ｃｍ）の０．３〜０．８倍の間であることが好ましい。また例えば、矩形の操作板又は補助操作板のの水平方向の長さ又は円形の操作板又は補助操作板の直径が、ドア幅（例えば６０ｃｍ〜１３０ｃｍ）の０．２〜０．６倍の間であることが好ましい。また、使用者が足で操作する場合、操作板又は補助操作板が、ドア高さの下から４分の１の高さより低い位置にあることが好ましい。
【０１３５】
いくつかの実施形態では、操作板に対してほぼ垂直に補助操作板が配置されている。したがって、通常の操作時に補助操作板を押す力を大きく上回る負荷がかかった場合、補助操作板の取付部が破損する可能性がある。これを防ぐために、過負荷がかかったときに補助操作板が操作板の方に傾斜して倒れることができ、そして過負荷が除去されたときには補助操作板が再び起立して元の姿勢に復帰できる構造を、操作板と補助操作板の接続部に設けることが好ましい。このような過負荷防止機構は周知である。
【０１３６】
各実施形態の操作板又は補助操作板は比較的広い面をもつ平板状であるので、清掃やアルコール消毒などを行い易い。
【０１３７】
各実施形態の操作板又は補助操作板は、手指で操作することももちろん可能である。しかしながら、使用者は、手指以外を用いても容易に操作することが可能である。
【０１３８】
以上、本発明の幾つかの実施形態を示す図面を参照して本発明を説明したが、各実施形態の特徴的構成を組み合わせた実施形態も本発明に含まれる。また、本発明の主旨に沿う限りにおいてさらに多様な変形形態が可能である。
【符号の説明】
【０１３９】
１  ドア
１ａ、１ｂ  ドア面
１ｃ、１ｄ  ドア貫通孔
３  ラッチボルト
３ａ  操作ロッド
４  ケース
４ａ、４ｂ  ケース貫通孔
４ｃ  隔壁
４ｄ  側壁
５  連結ロッド
５ａ  一端
５ｂ  他端
５ｃ  操作点
６  バネ
７ａ、７ｂ  連結ピン
７ｃ  案内ピン
８ａ  ラック
８ｂ、８ｃ  ピニオン
８ｄ  ラック
１０  ドア操作装置
１１、２１  支持フレーム
１１ａ  フレーム上部
１１ｂ  フレーム下部
１１ｅ、２１ｅ  縁部
１２、２２  回動軸
１３、２３  操作板
１３ａ、２３ａ  連結部
１４、２４  補助操作板
１５、２５  レール
１６、２６  支持部材
１７、２７  変換部
１７ａ、２７ａ  操作ロッド
１８、２８  伝達ロッド
１９、２９  スリット
５０、６０、６０Ａ  取っ手
【要約】
【課題】ラッチ解除するためのドア操作装置を提供する。
【解決手段】ドア操作装置10において、ドア1を貫通するドア貫通孔1c,1dと、第１及び第２のドア面1a,1bにそれぞれ取り付けられた第１及び第２の支持フレーム11,21と、使用者による操作によって、第１及び第２の支持フレーム11,21内に設けられた回動軸12,22の周りで回動可能、又は、第１及び第２の支持フレーム11,21内でドア面1a,1bに対し垂直に直線移動可能であるように、第１及び第２の支持フレーム11,21内にそれぞれ配置された第１及び第２の操作板13,23と、ドア貫通孔1c,1dを通って第１の操作板13と第２の操作板23とを連結する連結ロッド5と、第１及び第２の操作板13,23の回動又は直線移動による連結ロッド5の動きをラッチボルト3の後退動作に変換する変換部と、を有する。
【選択図】図１【図１】
0006865881.tif 000002
【図２】
0006865881.tif 000003
【図３】
0006865881.tif 000004
【図４】
0006865881.tif 000005
【図５】
0006865881.tif 000006
【図６】
0006865881.tif 000007
【図７】
0006865881.tif 000008
【図８】
0006865881.tif 000009
【図９】
0006865881.tif 000010
【図１０】
0006865881.tif 000011
【図１１】
0006865881.tif 000012
【図１２】
0006865881.tif 000013
【図１３】
0006865881.tif 000014
【図１４】
0006865881.tif 000015
【図１５】
0006865881.tif 000016
【図１６】
0006865881.tif 000017
【図１７】
0006865881.tif 000018
【図１８】
0006865881.tif 000019
【図１９】
0006865881.tif 000020
【図２０】
0006865881.tif 000021
【図２１】
0006865881.tif 000022
【図２２】
0006865881.tif 000023
【図２３】
0006865881.tif 000024